(57)【要約】【課題】  光ディスク装置付の画像形成装置においては、紙への印刷機能と光ディスクへの記録機能を有しているが、光ディスクが記録されて排出されたときに、その記録された内容がわからなくなるという欠点があった。【解決手段】  プリンタ部５００がコンテンツ情報を紙５０５に印刷し、紙排出手段６００が紙５０５を取出しトレイ７００に排出するときに、光ディスク排出手段４００がコンテンツ情報を印刷した紙５０５を仕切り紙となるように挿入し、光ディスク３０９を取出しトレイ７００へ自動的に排出する。つまり、光ディスク３０９とそのコンテンツ情報を印刷した紙５０５を一対一で対応させるように、光ディスク３０９と紙５０５を同一の場所に排出し、且つ光ディスク３０９の間に仕切り紙として挿入できるようにする。【選択図】  図１
2006345019.tif 000002
【特許請求の範囲】
【請求項１】
原稿からの光学的映像をディジタル情報に変換する受光部、または外部装置からのディジタル情報を受信する受信部のどちらか一方、またはその両方と、
前記受光部により変換されたディジタル情報、または前記受信部により受信されたディジタル情報を記憶する記憶部と、
前記ディジタル情報を紙、または可視情報を印刷可能な媒体に印刷するプリンタ部と、
前記紙、または可視情報を印刷可能な媒体を取出しトレイに排出する紙排出手段と、
前記ディジタル情報を光ディスクに記録可能なデータに変換する記録情報変換手段と、
前記ディジタル情報を光ディスクに記録する光ディスク装置と、
から構成される光ディスク装置付画像形成装置において、
前記ディジタル情報に登録されているコンテンツ情報を、前記ディジタル情報のヘッダ情報部から取得するコンテンツ情報取得手段と、
前記コンテンツ情報を印刷可能な印刷データに変換する印刷情報変換手段と、
前記コンテンツ情報を紙、または可視情報を印刷可能な媒体に印刷する印刷手段と、
前記コンテンツ情報を印刷した紙、または可視情報を印刷可能な媒体を仕切り紙となるように挿入し、前記光ディスクを画像形成装置の取出しトレイへ自動的に排出する光ディスク排出手段と、
を有することを特徴とする光ディスク装置付画像形成装置。
【請求項２】
原稿からの光学的映像をディジタル情報に変換する受光部、または外部装置からのディジタル情報を受信する受信部のどちらか一方、またはその両方と、
前記受光部により変換されたディジタル情報、または前記受信部により受信されたディジタル情報を記憶する記憶部と、
前記ディジタル情報を紙、または可視情報を印刷可能な媒体に印刷するプリンタ部と、
前記紙、または可視情報を印刷可能な媒体を取出しトレイに排出する紙排出手段と、
前記ディジタル情報を光ディスクに記録可能なデータに変換する記録情報変換手段と、
前記ディジタル情報を光ディスクに記録する光ディスク装置と、
前記プリンタ部と前記光ディスク装置へのディジタル情報や記録枚数を選択できる表示部と、
から構成される光ディスク装置付画像形成装置において、
前記ディジタル情報の内容を示すコンテンツ情報を入力する操作パネルと、
前記コンテンツ情報を印刷可能な印刷データに変換する印刷情報変換手段と、
前記コンテンツ情報を紙、または可視情報を印刷可能な媒体に印刷する印刷手段と、
前記コンテンツ情報を印刷した紙、または可視情報を印刷可能な媒体を仕切り紙となるように挿入し、前記光ディスクを画像形成装置の取出しトレイへ自動的に排出する光ディスク排出手段と、
を有することを特徴とする光ディスク装置付画像形成装置。
【請求項３】
前記紙排出手段は紙排出口を、前記光ディスク排出手段は光ディスク排出口をそれぞれ有し、それら排出口は該光ディスク装置付画像形成装置の筐体の同一面側に上下に配置されていることを特徴とする請求項１または２に記載の光ディスク装置付画像形成装置。
【請求項４】
前記紙排出手段は紙排出口を、前記光ディスク排出手段は光ディスク排出口をそれぞれ有し、それら排出口は該光ディスク装置付画像形成装置の筐体の一部に、紙、または可視情報を印刷可能な媒体と光ディスクの排出方向が水平方向に関して一定の角度をもつように配置されていることを特徴とする請求項１または２に記載の光ディスク装置付画像形成装置。
【請求項５】
前記光ディスク装置は、光ディスクへの記録が終了したことを示す記録終了信号を出力し、その信号をもとに前記コンテンツ情報の印刷を開始することを特徴とする請求項１から４の何れかに記載の光ディスク装置付画像形成装置。
【請求項６】
前記光ディスク装置は、光ディスクへの記録が終了したことを示す記録終了信号を出力し、且つ前記紙排出手段に印刷した前記紙、または可視情報を印刷可能な媒体を待機させる紙待機手段を設け、前記記録終了信号をもとに印刷の終了した前記紙、または可視情報を印刷可能な媒体を排出することを特徴とする請求項１から４の何れかに記載の光ディスク装置付画像形成装置。
【請求項７】
前記光ディスク装置が複数台の構成であり、
前記各光ディスク装置は、光ディスクへの記録が終了したことを示す記録終了信号と前記各光ディスク装置の識別情報を出力し、それらの信号をもとに前記コンテンツ情報の印刷を開始することを特徴とする請求項１から４の何れかに記載の光ディスク装置付画像形成装置。
【請求項８】
前記光ディスク装置が複数台の構成であり、
前記各光ディスク装置は、光ディスクへの記録が終了したことを示す記録終了信号と前記各光ディスク装置の識別情報を出力し、且つ前記紙排出手段に印刷した前記紙、または可視情報を印刷可能な媒体を待機させる紙待機手段を設け、前記記録終了信号及び光ディスク装置識別情報をもとにそれらに対応した前記コンテンツ情報を印刷した前記紙、または可視情報を印刷可能な媒体を排出することを特徴とする請求項１から４の何れかに記載の光ディスク装置付画像形成装置。
【請求項９】
前記光ディスク装置が複数台の構成であり、
前記光ディスク排出手段に記録を終了した光ディスクを待機させる光ディスク待機手段を設け、または前記紙排出手段に印刷した前記紙、または可視情報を印刷可能な媒体を待機させる紙待機手段を設け、光ディスクを排出する際に、光ディスク排出信号と前記各光ディスク識別情報を出力し、それらの信号及び情報をもとにそれらに対応した前記コンテンツ情報の印刷を開始する、またはそれらを印刷した前記紙、または可視情報を印刷可能な媒体を排出することを特徴とする請求項１から４の何れかに記載の光ディスク装置付画像形成装置。
【請求項１０】
前記コンテンツ情報は、文書名、作成者、作成日、頁数、データ容量、文書分類用情報、文書シリアル番号、文書内容を表す画像情報、ユーザが任意に指定できる文字情報及び画像情報などの情報のうち、少なくとも１つを含むことを特徴とする請求項１から９の何れかに記載の光ディスク装置付画像形成装置。
【請求項１１】
請求項１から１０に記載の光ディスク装置付画像形成装置として機能させるプログラム。
【請求項１２】
請求項１１に記載のプログラムを記録した記録媒体。
【発明の詳細な説明】
【技術分野】
【０００１】
本発明は、外部記憶装置として光ディスク装置を付加した複写機能、プリンタ機能、スキャナー機能を有する画像形成装置などに関する。
【背景技術】
【０００２】
特許文献１は、自動原稿送り装置を用いて原稿を自動送りさせながら原稿の情報を読み取り、その情報を光ディスクなどの外部記憶手段に記憶するときに、各文書群間に識別紙を挿入し、この識別紙を読み取ることによって各文書群の区切りを識別して文書群毎にファイル番号を付与し、外部記憶手段を装着したときにこの外部記憶手段に記憶されるファイル番号により区別された各文書群の第１頁目の画像の全体または一部を等倍または変倍して１枚の用紙に各々のファイル番号と共に印字して外部記憶手段の記憶情報のイメージリストを作成するとある。
【０００３】
この方法によると、自動的に文書群毎のファイル番号を管理でき、ファイル番号により区別されて外部記憶手段に記憶された文書に関しては、１枚の用紙に各々のファイル番号と共に印字した記憶情報のイメージリストが作成されるので、記憶情報の内容を視覚的に検索することができるようになる。
【０００４】
特許文献２は、原稿をスキャンして読み取った文書データを圧縮処理して光ディスク等の記憶媒体に記憶して登録し、所望の文書データを検索して読み出す電子ファイリングシステムであって、文書データの登録終了時に、その文書データのタイトル情報及びその文書を含む登録された全体の文書データの文書タイトルリストとを自動的に印刷する手段を具備する構成が示されている。
【０００５】
この構成を有する結果、印刷されたタイトル情報を、そのタイトル情報に対応する文書データの読み取られた原稿の上に付けられてファイルすることによって、原稿を登録されたデータと同一管理形態でファイル管理して登録データと原稿との一貫した管理を実現できるとの記述がある。
【０００６】
特許文献３では、緩衝材からなるシートが敷設された円形状のディスク載置部を有し、装置本体の内部と外部との間に移動可能に設けられたトレイと、このトレイの前記ディスク載置部の上に載置される光ディスクに対して往復移動するサーマルヘッドを有する印刷機構とを備え、前記トレイのディスク載置部の上に光ディスクを載置して支持し、この光ディスクをトレイと一体的に装置本体内に移動して所定の位置に配置し、この光ディスクに対して印刷機構のサーマルヘッドを往復移動させ、インクリボンを用いる熱転写により光ディスクの表面に印刷を行うようになっている。
【０００７】
これにより、光ディスクの全表面に印刷を行うことができず、サーマルヘッドが移動する範囲である光ディスクの表面の一部分に印刷できるに過ぎないものの、光ディスクの表面にタイトル文字などを表記するには充分な大きさの印刷領域を確保することができる。そしてサーマルヘッドを単に往復移動させるだけでよいから、印刷機構を簡単で小型に構成することができ、また表記する印刷量が不足する場合には、トレイの上の光ディスクの載置位置を変えて複数回印刷処理を行うことにより、複数箇所に印刷を行って印刷領域を拡大することもできるなど、簡単で手軽に光ディスクに印刷を施すことができる印刷装置として実用性に優れるとある。
【特許文献１】特開平２−２５７７６２号公報
【特許文献２】特開平８−１７１６３０号公報
【特許文献３】特開２００３−２８５５０１号公報
【発明の開示】
【発明が解決しようとする課題】
【０００８】
しかし、特許文献１では、各文書群の第１頁目の画像の全体または一部を紙に出力するので、情報漏洩する恐れがあり、情報管理の点においてはふさわしい構成とは言えない。また、紙の出力箇所や光ディスクの排出箇所に関する記述がなく、自動的に光ディスクを或る特定の場所に出力させる機器においては、それらの光ディスクに格納されたデータと、紙に出力されたタイトル情報を即座に一対一で対応させることが困難であり、不便である。
【０００９】
また、特許文献２の構成では、紙の出力箇所や光ディスクの排出箇所に関する記述がなく、自動的に光ディスクを或る特定の場所に出力させる機器においては、それらの光ディスクに格納されたデータと、紙に出力されたタイトル情報を即座に一対一で対応させることが困難であり、不便である。
【００１０】
また、特許文献３においては、印刷領域が光ディスク表面の一部分にしか印刷することができず、光ディスクに記憶する内容を詳細に記したいときなど、その印刷領域が不足することが考えられる。また、トレイ上の光ディスクの載置位置を変えて複数回印刷を繰り返すことは、ユーザの手を煩わせることになり煩雑である。また、異なる情報を複数枚の光ディスクに記録させる場合、その内容とタイトル文字などを取り違えて印刷してしまう恐れがあり、光ディスクへの情報の記録とタイトル文字などの印刷を自動的に行えることが望ましい。
【００１１】
本発明は、上記事情を鑑みて、ユーザの手を煩わせることなく、原稿の画像情報、または外部装置からのディジタル情報を光ディスクへ記録し、且つそのコンテンツ情報の印刷を自動的に行うことにより、光ディスクに記録された情報の内容を容易に知ることができる光ディスク装置付画像形成装置などを提供することを目的とする。
【課題を解決するための手段】
【００１２】
上記課題を解決する本発明の態様は、原稿からの光学的映像をディジタル情報に変換する受光部、または外部装置からのディジタル情報を受信する受信部のどちらか一方、またはその両方と、前記受光部により変換されたディジタル情報、または前記受信部により受信されたディジタル情報を記憶する記憶部と、前記ディジタル情報を紙、または可視情報を印刷可能な媒体に印刷するプリンタ部と、前記紙、または可視情報を印刷可能な媒体を取出しトレイに排出する紙排出手段と、前記ディジタル情報を光ディスクに記録可能なデータに変換する記録情報変換手段と、前記ディジタル情報を光ディスクに記録する光ディスク装置と、から構成される光ディスク装置付画像形成装置において、前記ディジタル情報に登録されているコンテンツ情報を、前記ディジタル情報のヘッダ情報部から取得するコンテンツ情報取得手段と、前記コンテンツ情報を印刷可能な印刷データに変換する印刷情報変換手段と、前記コンテンツ情報を紙、または可視情報を印刷可能な媒体に印刷する印刷手段と、前記コンテンツ情報を印刷した紙、または可視情報を印刷可能な媒体を仕切り紙となるように挿入し、前記光ディスクを画像形成装置の取出しトレイへ自動的に排出する光ディスク排出手段と、を有することを特徴とする光ディスク装置付画像形成装置に関するものである。
この態様では、原稿から読み取った情報、または外部装置から受信された情報を光ディスクへ記録すると共に、そのコンテンツ情報を原稿から検出、または、取得して自動的に印刷し、その光ディスクとコンテンツ情報を印刷した紙、または可視情報を印刷することが可能な媒体を同一の取出しトレイに自動的に排出し、且つ光ディスクと光ディスクとの間に仕切り紙として挿入することができるため、光ディスクに記録されたコンテンツ情報を容易に知ることができると共に、光ディスクとコンテンツ情報を印刷した紙、または可視情報を印刷可能な媒体とを、一対一に対応させて出力することができる。
【００１３】
また、上記課題を解決する本発明の他の態様は、原稿からの光学的映像をディジタル情報に変換する受光部、または外部装置からのディジタル情報を受信する受信部のどちらか一方、またはその両方と、前記受光部により変換されたディジタル情報、または前記受信部により受信されたディジタル情報を記憶する記憶部と、前記ディジタル情報を紙、または可視情報を印刷可能な媒体に印刷するプリンタ部と、前記紙、または可視情報を印刷可能な媒体を取出しトレイに排出する紙排出手段と、前記ディジタル情報を光ディスクに記録可能なデータに変換する記録情報変換手段と、前記ディジタル情報を光ディスクに記録する光ディスク装置と、前記プリンタ部と前記光ディスク装置へのディジタル情報や記録枚数を選択できる表示部と、から構成される光ディスク装置付画像形成装置において、前記ディジタル情報の内容を示すコンテンツ情報を入力する操作パネルと、前記コンテンツ情報を印刷可能な印刷データに変換する印刷情報変換手段と、前記コンテンツ情報を紙、または可視情報を印刷可能な媒体に印刷する印刷手段と、前記コンテンツ情報を印刷した紙、または可視情報を印刷可能な媒体を仕切り紙となるように挿入し、前記光ディスクを画像形成装置の取出しトレイへ自動的に排出する光ディスク排出手段と、を有することを特徴とする光ディスク装置付画像形成装置に関するものである。
この態様では、原稿から読み取った情報を光ディスクへ記録すると共にそのコンテンツ情報をユーザが任意に設定して自動的に印刷し、その光ディスクとコンテンツ情報を印刷した紙、または可視情報を印刷することが可能な媒体を同一の取出しトレイに自動的に排出し、且つ光ディスクと光ディスクとの間に仕切り紙として挿入することができるため、光ディスクに記録されたコンテンツ情報を容易に知ることができると共に、光ディスクとコンテンツ情報を印刷した紙、または可視情報を印刷可能な媒体とを、一対一に対応させて出力することができる。
【００１４】
ここで、前記紙排出手段は紙排出口を、前記光ディスク排出手段は光ディスク排出口をそれぞれ有し、それら排出口は該光ディスク装置付画像形成装置の筐体の同一面側に上下に配置されていることを特徴とする。
すると、紙、または可視情報を印刷可能な媒体と光ディスクとを重ねた状態に排出することができるため、情報を記録した光ディスクとそのコンテンツ情報を印刷した紙、または可視情報を印刷可能な媒体を一対一に対応させて排出することができる。
【００１５】
また、ここで、前記紙排出手段は紙排出口を、前記光ディスク排出手段は光ディスク排出口をそれぞれ有し、それら排出口は該光ディスク装置付画像形成装置の筐体の一部に、紙、または可視情報を印刷可能な媒体と光ディスクの排出方向が水平方向に関して一定の角度をもつように配置されていることを特徴とする。
すると、紙、または可視情報を印刷可能な媒体と光ディスクとを重ねた状態に排出することができるため、情報を記録した光ディスクとそのコンテンツ情報を印刷した紙、または可視情報を印刷可能な媒体を一対一に対応させて排出することができる。
【００１６】
さらに、前記光ディスク装置は、光ディスクへの記録が終了したことを示す記録終了信号を出力し、その信号をもとに前記コンテンツ情報の印刷を開始することを特徴とする。
すると、光ディスクに対応していない印刷物が間に挿入されることなく、それらを一対一で対応させて排出させることができる。
【００１７】
また、さらに、前記光ディスク装置は、光ディスクへの記録が終了したことを示す記録終了信号を出力し、且つ前記紙排出手段に印刷した前記紙、または可視情報を印刷可能な媒体を待機させる紙待機手段を設け、前記記録終了信号をもとに印刷の終了した前記紙、または可視情報を印刷可能な媒体を排出することを特徴とする。
すると、光ディスクと対応していない印刷物が間に挿入されることなく、それらを一対一で対応させて排出させることができる。
【００１８】
また、さらに、前記光ディスク装置が複数台の構成であり、前記各光ディスク装置は、光ディスクへの記録が終了したことを示す記録終了信号と前記各光ディスク装置の識別情報を出力し、それらの信号をもとに前記コンテンツ情報の印刷を開始することを特徴とする。
すると、光ディスクに対応していない印刷物が間に挿入されることなく、それらを一対一で対応させて排出させることができる。
【００１９】
また、さらに、前記光ディスク装置が複数台の構成であり、前記各光ディスク装置は、光ディスクへの記録が終了したことを示す記録終了信号と前記各光ディスク装置の識別情報を出力し、且つ前記紙排出手段に印刷した前記紙、または可視情報を印刷可能な媒体を待機させる紙待機手段を設け、前記記録終了信号及び光ディスク装置識別情報をもとにそれらに対応した前記コンテンツ情報を印刷した前記紙、または可視情報を印刷可能な媒体を排出することを特徴とする。
すると、光ディスクと対応していない印刷物が間に挿入されることなく、それらを一対一で対応させて排出させることができる。
【００２０】
また、さらに、前記光ディスク装置が複数台の構成であり、前記光ディスク排出手段に記録を終了した光ディスクを待機させる光ディスク待機手段を設け、または前記紙排出手段に印刷した前記紙、または可視情報を印刷可能な媒体を待機させる紙待機手段を設け、光ディスクを排出する際に、光ディスク排出信号と前記各光ディスク識別情報を出力し、それらの信号及び情報をもとにそれらに対応した前記コンテンツ情報の印刷を開始する、またはそれらを印刷した前記紙、または可視情報を印刷可能な媒体を排出することを特徴とする。
すると、光ディスクと対応していない印刷物が間に挿入されることなく、それらを一対一で対応させて排出させることができる。
【００２１】
そして、前記コンテンツ情報は、文書名、作成者、作成日、頁数、データ容量、文書分類用情報、文書シリアル番号、文書内容を表す画像情報、ユーザが任意に指定できる文字情報及び画像情報などの情報のうち、少なくとも１つを含むことを特徴とする。
すると、ユーザは光ディスクに記録された情報の概略を容易に知ることができる。
【００２２】
また、本発明の他の態様は、上記光ディスク装置付画像形成装置として機能させるプログラムに関するものである。
【００２３】
また、本発明の他の態様は、上記プログラムを記録した記録媒体に関するものである。
【発明の効果】
【００２４】
本発明により、ユーザの手を煩わせることなく、原稿の画像情報、または外部装置からのディジタル情報を光ディスクへ記録し、且つそのコンテンツ情報の印刷を自動的に行うことにより、光ディスクに記録された情報の内容を容易に知ることができる。
【発明を実施するための最良の形態】
【００２５】
以下、本発明の光ディスク装置付画像形成装置を実施するための最良の形態について説明する。説明は実施例ごとにし、本明細書と同時に提出する図面を適宜参照することにする。
【００２６】
≪第１の実施例≫
本発明の第１の実施例における光ディスク装置付画像形成装置は、原稿からの光学的映像をディジタル情報に変換し印刷する複写機能、または外部装置からのディジタル情報を印刷するプリンタ機能、または、原稿からの光学的映像をディジタル情報に変換するスキャナー機能のうちの一つ、または複数の機能を有するディジタル複合機に光ディスク装置を取り付けたものである。なお、画像形成装置とは、原稿からの光学的映像をディジタル情報に変換し印刷する複写機であってもよいし、外部装置からのディジタル情報を印刷するプリンタであっても構わない。また、光ディスクのレーベル面への印刷を行うレーベル印刷機のような形態であっても構わない。
【００２７】
そして、このディジタル複合機で実行される処理は、当該ディジタル複合機が有するＣＰＵ（Central Processing Unit）による中央処理制御のもと統括的に行われる。また、この画像形成装置は、ＣＰＵがそのような制御を行うときに読み出すプログラムを記録したＲＯＭ（Read Only Memory）も有している。
【００２８】
以下に、本発明における第１の実施例の詳細な動作を、図１、図２を用いて説明する。図１は、本発明の第１の実施例における光ディスク装置付画像形成装置の機能ブロック図を示しており、図２は、装置の外観を表す概略図である。
【００２９】
＜光ディスクへの情報の記録＞
まず、受光部１００により読み取られた原稿の画像、または外部装置から受信された情報を光ディスクに記録する動作について説明する。
【００３０】
受光部１００は、原稿の画像をディジタル情報に変換する機能を有する。リニアセンサ１０２は、原稿の画像を読み取るもので、駆動部１０１によって原稿の全面を走査するように動作する。プリアンプ１０３によってリニアセンサ１０２からの画像信号を増幅し、増幅されたアナログ画像信号をＡ／Ｄ変換器１０４においてディジタル情報に変換する。
【００３１】
受信部２０１では、例えばPC（パーソナル・コンピュータ）などの外部装置からのディジタル情報を受信する。ここで、ディジタル情報とは、一般的なPCで使用されている形式のデータであってもよいし、あまり汎用的ではない形式のデータであってもよい。例えば、テキスト文書やWord、Excelなどのデータや、BMPやTIFFなどの画像データであってもよいし、CADで用いられているようなデータであっても構わない。また、ここでは情報通信の形態にはついては特にこだわらない。
また、ここでは外部装置としているが、画像形成装置に内蔵していてもよいし、画像形成装置に記録媒体を挿入するスロットが装備されており、そこに可搬媒体を挿入するようにしていてもよい。つまり、ディジタル情報の送信元は、例えば画像形成装置内臓のHDD（ハードディスクドライブ）であってもよいし、フラッシュメモリやUSBメモリ、光ディスクなどの可搬媒体であっても構わない。なお、これらの形態でディジタル情報を取得する場合、後述の記憶部２０２は無くても構わない。
【００３２】
受光部１００で変換された原稿のディジタル情報、または受信部２０１で受信された外部装置からのディジタル情報は、記憶部２０２に記憶される。記憶されたディジタル情報は、記録情報変換手段２０３によって記録可能な記録データに変換されて光ディスク装置３００に送られる。
【００３３】
光ディスク装置３００は、記録データを光ディスク３０９に記録する。記録情報変換手段２０３からの記録データを情報処理手段３０１が受け、装置内の各手段の動作を制御手段３０２が制御する。制御手段３０２からの指示でモータ制御手段３０３がスピンドルモータ３０４へ制御信号を送り、スピンドルモータ３０４を回転させる。詳細には、発振器などの固定周波数信号を基に角速度一定（CAV方式）に回転制御してもよいし、半径位置に応じて回転速度を変え、線速度一定（CLV方式）に制御してもよい。また、メディアからの再生信号や案内溝の蛇行（ウォブル）から得られる信号を基に線速度一定で回転制御してもよい。また、制御手段３０２からの指示によりサーボ機構３０５も制御される。サーボ機構３０５では、光ディスクからの反射光のうちフォーカシング及びトラッキングなどの位置情報をもつ信号成分を検出し、その位置情報を参照しながら目標位置に集光点が定まるように、図示しない光ヘッド内の対物レンズやシーク機構を制御する。
【００３４】
次に、光ディスク装置内の信号系について説明する。なお、一般的な光ディスク装置には、再生専用型、記録・再生型がある。本実施例での光ディスク装置３００は記録可能なことが前提であるため、ここでは記録・再生型であるとして再生系の説明も示す。
【００３５】
光ディスクへ情報を記録するときの信号系においては、記録情報変換手段２０３からの記録データを情報処理手段３０１が受け、メディアフォーマットに従って光ディスク内におけるアドレス情報や、エラー訂正情報などを付加し、また情報の並び替えやメディアに記録する情報列への変調を行い、レーザ制御手段３０６に送る。レーザ制御手段３０６では、情報列にしたがってメディア上に形成される記録マークが正確に形成できるように光源の強度を変調する。この変調は、マルチパルス化（複数の強度の異なるパルスに変換する）や、マークの大きさに応じた強度変化を指す。光ヘッド３０７では、変調された光源からの光を光ディスク３０９の記録層に集光し、データの記録を行う。
【００３６】
光ディスク３０９から情報を再生するときの信号系では、記録時に比べ弱い強度で安定した再生光で光源を発光させるべく、レーザ制御手段３０６が信号を出力する。また、反射光のうちメディアに記録された、または刻まれた情報の再生信号成分は再生信号処理手段３０８にて検出される。ここには、ノイズや符号間干渉を除去するフィルタ手段やイコライザ手段、２値化手段などが含まれる。また、再生信号からメディアの回転情報を検出することができるので、これをスピンドルモータ３０４の回転制御信号に使用することもできる。検出された再生信号は情報処理手段３０１に送られ、エラー訂正やメディアフォーマットに従って付加されたアドレスなどの情報を検出後除去し、また情報の並び替えや復調を行う。光ディスク装置３００への記録、または再生指示は情報処理手段３０１、または直接制御手段３０２が受け、それに応じて各手段に動作指示を出す。なお、ここでは記録時、再生時共に１つの情報処理手段が上記に示したような処理を行うとしているが、記録系と再生系で別々の情報処理手段を設けていても構わない。
【００３７】
情報が記録された光ディスク３０９は、光ディスク排出手段４００の光ディスク搬送機構４０１によって搬送され、光ディスク排出口４０２から取出しトレイ７００に排出される。
【００３８】
なお、記録するディジタル情報や記録枚数の選択などは、表示部の操作パネルによって行う。原稿の画像を光ディスクに記録する場合には、原稿台に原稿をセットすることでその情報が選択され、記録枚数などの選択は操作パネルによって行う。また、記録するときの記録方式や各種設定をここで行うようにしてもよい。外部装置からのディジタル情報を光ディスク３０９に記録する場合には、操作パネルから所望のファイルを選択するようにしてもよいし、外部装置側で選択できるようにしてあってもよい。また同様に、外部装置から記録枚数や記録方式、各種設定をできるようにしても構わない。
【００３９】
＜コンテンツ情報の印刷＞
次に、紙、または可視情報を印刷可能な媒体へのコンテンツ情報の印刷動作について説明する。ここで、可視情報を印刷可能な媒体とは、例えば、光ディスクのレーベル面に貼付可能なシール状のものや、OHPシートのような紙以外の媒体であっても構わない。また、可視情報とあるが、人間の目では識別不可能な暗号化された形態であってもよい。以後、これを単に紙と称する。
【００４０】
まず、受光部１００によって読み取られ変換された原稿のディジタル情報、または受信部によって受信されたディジタル情報を記憶部２０２に格納する。次に、そのディジタル情報内のヘッダ情報部に登録されているコンテンツ情報をコンテンツ情報取得手段２０４によって読み出す。ここでヘッダ情報とは、ユーザが通常使用するユーザデータとは異なる情報領域に格納されている情報であり、例えば、ファイル名や作成者名、作成日や更新日などの情報が格納されている。外部装置からディジタル情報を受信する場合には、そのヘッダ情報に格納されているコンテンツ情報を取り込むようにすればよい。原稿の画像を読み取る場合には、例えば、１頁目の文字情報をOCR（Optical Character Reader）などの方法で読み取ったり、画像情報として代表図を取り込むようにしたりすればよい。また、ここでコンテンツ情報とは、文書名、作成者、作成日、更新日、頁数、データ容量、文書分類用情報、文書シリアル番号、文書内容を表す画像情報、ユーザが指定する任意の文字情報及び画像情報などである。これらの情報のうち、どの情報を紙に印刷するかは、ユーザが任意に指定できる。なお、作成日、更新日、頁数、データ容量などのデータは、電子ファイル内部で自動的に管理され、ユーザは任意に変更できないものとする。
【００４１】
コンテンツ情報取得手段２０４によって読み取られたコンテンツ情報は、印刷情報変換手段２０５によって印刷可能な印刷データに変換され、プリンタ部５００へ送られる。
【００４２】
プリンタ部５００では、情報処理手段５０１が印刷情報変換手段２０５から送られた印刷データを受け、それに対応する明暗像を形成するようにデータを変換し、レーザを駆動する。レーザ走査部５０２は、回転している感光ドラム５０３上にレーザ光を走査しながらオン／オフしながら照射し、印刷情報変換手段２０５から送られた印刷データに応じた明暗像を形成する。感光ドラム５０３上に形成された明暗像は、一般的な方法で、給紙トレイ５０４より給紙された紙５０５に印刷され、印刷が終了した紙５０５は紙排出手段６００の紙搬送機構６０１によって搬送され、紙排出口６０２から取出しトレイ７００に排出される。
【００４３】
＜紙の排出、及び光ディスクの排出＞
さて、本実施例においては、図２に示すように紙排出口６０２と光ディスク排出口４０２が、装置筐体の同一面側に上下に配置されている。このように配置することにより、紙が排出される場所と光ディスクが排出される場所が同一となり、両者を重ねて排出することができる。これにより、コンテンツ情報を印刷した紙が光ディスクと光ディスクとの仕切り紙としての機能を有している。なお、図２では紙排出口６０２を上に、光ディスク排出口４０２を下に配置しているが、その逆でも構わない。
【００４４】
以上のように、情報を記録した光ディスクとその内容を示すコンテンツ情報を同一トレイに排出することにより、光ディスクと紙が一対一に対応するように重ねて出力されるので、光ディスクに記録された内容を容易に知ることができる。また、コンテンツ情報が、文書名、作成者、作成日、更新日、頁数、データ容量、文書分類用情報、文書シリアル番号、文書内容を表す画像情報、ユーザが指定する任意の文字情報及び画像情報などのうち、少なくとも１つを含んでいるため、光ディスクに記録された情報の内容を容易に知ることができる。
【００４５】
≪第２の実施例≫
本発明における第２の実施例を、図３を用いて説明する。図３は、本実施例における光ディスク装置付画像形成装置の機能ブロック図を示している。光ディスクへの情報の記録、及び紙と光ディスクの排出動作については第１の実施例と同様であるので省略する。ここでは、紙へのコンテンツ情報の印刷動作について説明する。
【００４６】
本実施例では、表示部８００内の操作パネル８０１によって、光ディスクに記録された情報の特徴を表す任意の文字、及び画像情報をコンテンツ情報として入力する。ここでは、コンテンツ情報の入力は、操作パネルから直接入力するようにしている。つまり、操作パネルとしてタッチパネルが搭載されている場合、画面上のソフトキーボードを用いて文字列を入力したり、簡単な画像を入力したりする。もちろん、付属のテンキーなどを用いることもできる。
また、予め用意しておいたファイルから情報を取得するようにしてもよい。これは、画像形成装置内臓のHDDから取得するようにしてもよいし、ネットワーク経由でPCなどの外部装置から取得するようにしてもよい。また、可搬媒体を装着できるスロットが搭載されている画像形成装置であれば、可搬媒体から直接取得するようにしてもよい。以上のような場合には、操作パネルを操作することによって、任意のファイルを指定するようにすればよい。入力された情報は、表示メモリ８０２に格納され、印刷情報変換手段２０５によって印刷可能な印刷データに変換され、プリンタ部５００へ送られる。
【００４７】
その後、第１の実施例と同様の方法でコンテンツ情報を紙５０５に印刷し、紙排出手段６００の紙搬送機構６０１によって搬送され、紙排出口６０２から取出しトレイ７００に排出される。
【００４８】
以上のようにすることで、光ディスクに記録する情報のコンテンツ情報を外部から入力するようにすることで、ユーザが任意の情報を選択、または入力でき、紙へ出力することができるので、電子文書の管理に有利である。
【００４９】
≪第３の実施例≫
本発明における第３の実施例を、図４を用いて説明する。図４は、光ディスク装置付画像形成装置の外観の概略図を示しており、紙排出手段６００及び光ディスク排出手段４００に関した別の例を示したものである。ここでは、光ディスク装置３００は画像形成装置の外部に取り付けられているように図示されているが、画像形成装置本体内部に収められていても構わない。また、紙排出方向と光ディスク排出方向との角度が水平方向に関して90度になっているが、それ以外の角度であっても構わない。例えば、180度に対向させるようにしてもよいし、それ以外の任意の角度であってもよい。ただし、0度の場合には両排出口が重なってしまうため、第１の実施例で述べたように上下に配置しなければならない。
【００５０】
基本的な動作、例えば、光ディスクを記録するときの動作やコンテンツ情報を紙に印刷するときの動作については、第１の実施例と同様であるので、ここでは省略する。
【００５１】
本実施例においても、第１の実施例と略同様の効果が得られる。即ち、上記のように各排出口を配置することにより、紙が排出される場所と光ディスクが排出される場所が同一となり、両者を重ねて排出することができる。
【００５２】
このように、情報を記録した光ディスクとその内容を示すコンテンツ情報を同一トレイに排出することにより、光ディスクと紙が一対一に対応するように重ねて出力されるので、光ディスクに記録された内容を容易に知ることができる。また、コンテンツ情報が、文書名、作成者、作成日、更新日、頁数、データ容量、文書分類用情報、文書シリアル番号、文書内容を表す画像情報、ユーザが指定する任意の文字情報及び画像情報などのうち、少なくとも１つを含んでいるため、光ディスクに記録された情報の内容を容易に知ることができる。
【００５３】
≪第４の実施例≫
本発明における第４の実施例を、図５、図６、図７、図８、図９を用いて説明する。図５は、本実施例における光ディスク装置付画像形成装置の機能ブロック図を示しており、図６及び図８は複数の記録指示があったときの動作の流れ、図７及び図９はコンテンツ情報を印刷した紙と情報が記録された光ディスクの排出される順序を表す一例である。なお、基本的な動作に関しては、第１の実施例で述べたもの同様であるので、重複する説明に関しては省略する。
【００５４】
今、異なる内容の情報を光ディスクに記録する場合を考える。ここでは、それらの情報をそれぞれ情報１、情報２、・・・、情報Ｎとする。また、それに対応して記録される光ディスクを光ディスク１、光ディスク２、・・・、光ディスクＮ、対応するコンテンツ情報が印刷される紙を紙１、紙２、・・・、紙Ｎとする。ここで、光ディスクへの記録速度と紙への印刷速度の違いを考えてみる。例えば、光ディスクとしてＣＤを考えた場合、現在製品化されている光ディスク装置の最高倍速は「５２×速度程度」であるが、その速度で記録した場合、６５０ＭＢのデータを記録するのに数分かかる。それに対し、紙への印刷速度は、１分間に数十枚と桁違いに早い。このような状況を考えると、図６のように情報１の記録が終了していない時点で情報２、情報３、…の記録開始指示を出した場合、速度の速いコンテンツ情報の印刷は、情報１の記録が終らない時点で次々と紙２、紙３、…
を排出してしまう。その結果、図７に示すように、光ディスクと光ディスクの間に複数枚のコンテンツ情報が印刷された紙が挿入されてしまい、一対一で対応させることができない。
【００５５】
このような問題を解決するため、本実施例では図８に示すように光ディスクへの記録が終了した時点で光ディスク装置３００内の情報処理手段３０１が記録終了信号を出力するようにする。出力された記録終了信号は、プリンタ部５００内の情報処理手段５０１に送られ、それを受信した時点でその光ディスクに記録された情報に対応したコンテンツ情報の印刷を開始する。それまでは、プリンタ部５００内の情報処理手段５０１がコンテンツ情報の印刷データをメモリなどに保持しておくなどすればよい。このようにすると、図８に示すように光ディスクへの記録が終了した後にそれに対応したコンテンツ情報の印刷を行うことになる。その結果、図９に示すように、情報を記録した光ディスクとそのコンテンツ情報を印刷した紙を順に排出し、それらを一対一で対応させることができる。なお、本実施例では記録終了信号を受信した時点でコンテンツ情報の印刷を開始するとしているが、光ディスクの排出タイミングに合わせて多少待ち時間を設けるようにしてもよい。またこれは、他の実施例でも同様である。
【００５６】
以上のように、光ディスクへの情報の記録が終了した時点で情報終了信号を出力し、それをもとにその情報に対応したコンテンツ情報の印刷を開始することにより、光ディスクと紙を同一のトレイに排出した場合に光ディスクと紙が一対一に対応するように重ねて出力することができる。なお、異なる情報を記録した光ディスク群を分けるという意味では、間に挿入される紙にコンテンツ情報が記載されていなくてもよい。つまり、間に挿入される紙が白紙であってもよいし、任意の情報が印刷された紙であってもよい。しかし、この場合には光ディスクに記録された内容がわからなくなるため、コンテンツ情報を記録したほうが好ましい。
【００５７】
≪第５の実施例≫
本発明における第５の実施例を、図１０を用いて説明する。図１０は本実施例における光ディスク装置付画像形成装置の機能ブロック図を示している。
【００５８】
第４の実施例と同様のケースを考えた場合、コンテンツ情報を印刷した紙を待機させておく手段を設けることによってもその課題を解決することができる。即ち、紙排出手段６００に紙待機手段６０３を設ける。その動作としては、光ディスクへの情報記録指示が出された順にその情報に対応したコンテンツ情報の印刷を行い、印刷が終了した紙を順次溜めておく。光ディスク３０９への情報記録が終了した時点で、第４の実施例と同様に光ディスク装置３００内の情報処理手段３０１が記録終了信号を出力し、プリンタ部５００内の情報処理手段５０１に送る。記録終了信号を受信した情報処理手段５０１は、紙排出手段６００内の紙待機手段６０３にその光ディスクに対応したコンテンツ情報を印刷した紙５０５の排出指示を出し、紙搬送機構６０１により紙５０５を搬送し、紙排出口６０２から取出しトレイ７００に紙５０５を排出する。なお、本実施例では記録終了信号を受信した時点でコンテンツ情報を印刷した紙の排出指示を出すとしているが、光ディスクの排出タイミングに合わせて多少待ち時間を設けるようにしてもよい。またこれは、他の実施例でも同様である。
【００５９】
以上のように、紙排出手段内に紙待機手段を設け、コンテンツ情報を印刷した紙を順次溜めておき、光ディスクへの情報の記録が終了した時点で情報終了信号を出力し、それをもとにその情報に対応したコンテンツ情報を排出するようにすることにより、光ディスクと紙を同一のトレイに排出した場合に光ディスクと紙が一対一に対応するように重ねて出力することができる。
【００６０】
≪第６の実施例≫
本発明における第６の実施例を、図１１、図１２、図１３、図１４及び図９を用いて説明する。図１１は、本実施例における光ディスク装置付画像形成装置の機能ブロック図を、図１２、図１４は複数の記録指示があったときの動作の流れを、図１３、図９はコンテンツ情報を印刷した紙と情報が記録された光ディスクの排出される順序を表す一例である。なお、基本的な動作に関しては、第１の実施例で述べたもの同様であるので、重複する説明に関しては省略する。
【００６１】
図１１に示すように１台の画像形成装置に複数台の光ディスク装置３００（１）、３００（２）、…、３００（ｎ）を搭載している場合、複数の記録指示に対して並行して光ディスクへの記録を行うことができる。しかし、このような場合、図１２に示すように、紙へのコンテンツ情報の印刷に比べ光ディスクへの記録の処理速度が遅いため、図１３に示すように光ディスクとそのコンテンツ情報を印刷した紙を一対一に対応させることができない。
【００６２】
そこで本実施例においては、光ディスクへの記録が終了した時点で光ディスク装置３００（１）、３００（２）、…、３００（ｎ）内の情報処理手段３０１が記録終了信号、及び光ディスク装置識別情報を出力し、プリンタ部に送る。プリンタ部５００内の情報処理手段５０１はそれらの情報をもとに、その記録が終了した光ディスクに対応するコンテンツ情報の印刷を開始する。それらの信号を受信するまでは、プリンタ部５００内の情報処理手段５０１がコンテンツ情報の印刷データをメモリなどに保持しておくなどすればよい。このようにすると、図１４に示すように光ディスクへの記録が終了した後にそれに対応したコンテンツ情報の印刷を行う動作になる。その結果、図９に示すように光ディスクとそのコンテンツ情報を印刷した紙を順に排出し、それらを一対一で対応させることができる。
【００６３】
以上のように、１台の画像形成装置に複数台の光ディスク装置を搭載した構成においては、光ディスクへの情報の記録が終了した時点で情報終了信号、及び光ディスク装置識別情報を出力し、それをもとにその光ディスクに記録した情報に対応したコンテンツ情報の印刷を開始することにより、光ディスクと紙を同一のトレイに排出した場合に光ディスクと紙が一対一に対応するように重ねて出力することができる。
【００６４】
≪第７の実施例≫
本発明における第７の実施例を、図１５を用いて説明する。図１５は本実施例における光ディスク装置付画像形成装置の機能ブロック図を示している。
【００６５】
第６の実施例と同様に、１台の画像形成装置に複数台の光ディスク装置３００（１）、３００（２）、…、３００（ｎ）を搭載した場合を考えると、それらの排出されるタイミングが異なるため、それらを一対一で対応できなくなる恐れがある。その問題を解決するため、光ディスクの排出タイミングに合わせてコンテンツ情報が印刷された紙を待機させておくようにしても良い。即ち、紙排出手段６００内に紙待機手段６０３を設け、記録指示が出された順にそのコンテンツ情報を印刷し、印刷が終了した紙を順次溜めておく。光ディスクへの情報記録が終了した時点で、第６の実施例と同様に光ディスク装置３００（１）、３００（２）、…、３００（ｎ）内の情報処理手段３０１が記録終了信号、及び光ディスク装置識別情報を出力し、プリンタ部５００内の情報処理手段５０１に送る。記録終了信号、及び光ディスク装置識別情報を受信したプリンタ部５００内の情報処理手段５０１は、紙排出手段６００内の紙待機手段６０３にその光ディスクに記録された情報に対応したコンテンツ情報を印刷した紙の排出指示を出し、紙搬送機構６０１により紙を搬送し、紙排出口６０２から取出しトレイ７００に紙を排出する。
【００６６】
以上のように、紙排出手段内に紙待機手段を設け、コンテンツ情報を印刷した紙を順次溜めておき、光ディスクへの情報の記録が終了した時点で情報終了信号、及び光ディスク装置識別情報を出力し、それをもとにその光ディスクに記録された情報に対応したコンテンツ情報を印刷した紙を排出するようにすることにより、光ディスクと紙を同一のトレイに排出した場合に、情報を記録した光ディスクとその情報に対応したコンテンツ情報を印刷した紙が一対一に対応するように重ねて出力することができる。
【００６７】
≪第８の実施例≫
本発明における第８の実施例を、図１６を用いて説明する。図１６は本実施例における光ディスク装置付画像形成装置の機能ブロック図を示している。
【００６８】
第６の実施例と同様に、１台の画像形成装置に複数台の光ディスク装置３００（１）、３００（２）、…、３００（ｎ）を搭載した場合を考えると、それらの排出されるタイミングが異なるため、それらを一対一で対応できなくなる恐れがある。その問題を解決するため、記録を終了した光ディスクを待機させておくようにしても良い。即ち、光ディスク排出手段４００内に光ディスク待機手段４０３を設け、記録が終了した順に光ディスクを順次溜めておく。その後、光ディスクを排出する際に光ディスク排出信号、及びその光ディスクを識別するための情報である光ディスク識別情報を出力し、プリンタ部５００内の情報処理手段５０１に送る。光ディスク排出信号、及び光ディスク識別情報を受信したプリンタ部５００内の情報処理手段５０１は、それらの情報をもとに、その記録が終了した光ディスクに対応するコンテンツ情報の印刷を開始するか、紙排出手段６００内の紙待機手段６０３にその光ディスクに記録された情報に対応したコンテンツ情報を印刷した紙の排出指示を出す。前者の場合、それらの信号を受信するまでは、プリンタ部５００内の情報処理手段５０１がコンテンツ情報の印刷データをメモリなどに保持しておくなどすればよい。その後、紙搬送機構６０１により紙を搬送し、紙排出口６０２から取出しトレイ７００に紙を排出する。
【００６９】
以上のように、光ディスク排手段に光ディスク待機手段を設け、記録を終了した光ディスクを一旦溜めておき、光ディスクを排出する際に光ディスク排出信号、及び光ディスク識別情報を出力し、それらの信号及び情報をもとにその光ディスクに記録された情報に対応したコンテンツ情報の印刷を開始する、またはコンテンツ情報を印刷した紙を排出するようにすることにより、光ディスクと紙を同一のトレイに排出した場合に、情報を記録した光ディスクとその情報に対応したコンテンツ情報を印刷した紙が一対一に対応するように重ねて出力することができる。
【００７０】
なお、上述した形態は本発明を実施するための最良のものであるが、これに限定する趣旨ではない。従って、本発明の要旨を変更しない範囲において種々変形することが可能である。
【産業上の利用可能性】
【００７１】
本発明の画像形成装置を搭載し、光ディスクを複製することを目的としたデュプリケータ、光ディスクのレーベル印刷機などの開発が望まれる。
【図面の簡単な説明】
【００７２】
【図１】第１の実施例における光ディスク装置付画像形成装置の機能ブロック図である。
【図２】第１の実施例における光ディスク装置付画像形成装置の外観概略図である。
【図３】第２の実施例における光ディスク装置付画像形成装置の機能ブロック図である。
【図４】第３の実施例における光ディスク装置付画像形成装置の外観概略図である。
【図５】第４の実施例における光ディスク装置付画像形成装置の機能ブロック図である。
【図６】光ディスク装置付画像形成装置の動作フローの一例である。
【図７】光ディスク装置付画像形成装置における紙と光ディスクの排出状況の一例である。
【図８】第４の実施例における動作フローの一例である。
【図９】第４の実施例における光ディスクと紙の排出状況の一例である。
【図１０】第５の実施例における光ディスク装置付画像形成装置の機能ブロック図である。
【図１１】第６の実施例における光ディスク装置付画像形成装置の機能ブロック図である。
【図１２】複数台光ディスク装置付画像形成装置の動作フローの一例である。
【図１３】複数台光ディスク装置付画像形成装置における光ディスクと紙の排出状況の一例である。
【図１４】第６の実施例における動作フローの一例である。
【図１５】第７の実施例における光ディスク装置付画像形成装置の機能ブロック図である。
【図１６】第８の実施例における光ディスク装置付画像形成装置の機能ブロック図である。
【符号の説明】
【００７３】
１００    受光部
２０１    受信部
２０２    記憶部
２０３    記録情報変換手段
２０４    コンテンツ情報取得手段
２０５    印刷情報変換手段
３００    光ディスク装置
４００    光ディスク排出手段
５００    プリンタ部
６００    紙排出手段
７００    取出しトレイ
【図１】
2006345019.tif 000003
【図２】
2006345019.tif 000004
【図３】
2006345019.tif 000005
【図４】
2006345019.tif 000006
【図５】
2006345019.tif 000007
【図６】
2006345019.tif 000008
【図７】
2006345019.tif 000009
【図８】
2006345019.tif 000010
【図９】
2006345019.tif 000011
【図１０】
2006345019.tif 000012
【図１１】
2006345019.tif 000013
【図１２】
2006345019.tif 000014
【図１３】
2006345019.tif 000015
【図１４】
2006345019.tif 000016
【図１５】
2006345019.tif 000017
【図１６】
2006345019.tif 000018